(57)【要約】【課題】観測者ごとに眼幅調整を適切かつ迅速に行うことができる画像表示装置を提供すること。【解決手段】画像表示装置は、観察者の頭部に装着して使用される画像表示装置であって、前記観察者の左眼用の虚像を形成する光学部を有する左眼用表示ユニットと、前記観察者の右眼用の虚像を形成する光学部を有する右眼用表示ユニットと、前記左眼用表示ユニットと前記右眼用表示ユニットとの距離を調整する眼幅調整機構と、を備え、前記眼幅調整機構は、前記左眼用表示ユニットの位置および前記右眼用表示ユニットの位置を同時に調整可能な第１の調整機構と、前記左眼用表示ユニットの位置と前記右眼用表示ユニットの位置とのいずれか一方のみを独立して調整可能な第２の調整機構と、を有することを特徴とする。【選択図】図１
2016014730.tif 000002
【特許請求の範囲】
【請求項１】
観察者の頭部に装着して使用される画像表示装置であって、
前記観察者の左眼用の虚像を形成する光学部を有する左眼用表示ユニットと、
前記観察者の右眼用の虚像を形成する光学部を有する右眼用表示ユニットと、
前記左眼用表示ユニットと前記右眼用表示ユニットとの距離を調整する眼幅調整機構と、を備え、
前記眼幅調整機構は、前記左眼用表示ユニットの位置および前記右眼用表示ユニットの位置を同時に調整可能な第１の調整機構と、
前記左眼用表示ユニットの位置と前記右眼用表示ユニットの位置とのいずれか一方のみを独立して調整可能な第２の調整機構と、を有することを特徴とする画像表示装置。
【請求項２】
前記眼幅調整機構は、
第１の巻き方向にネジ山が形成された第１雄ネジ部、前記第１の巻き方向と異なる第２の巻き方向にネジ山が形成された第２雄ネジ部、が形成されたリードスクリューと、
前記左眼用表示ユニットを支持する左眼用支持部と、
前記右眼用表示ユニットを支持する右眼用支持部と、を備え、
前記左眼用支持部と前記右眼用支持部との一方には、前記第１雄ネジ部と螺合する雌ネジが形成され、
前記左眼用支持部と前記右眼用支持部との他方には、前記第２雄ネジ部と螺合する雌ネジが内周面に形成され、かつ、前記左眼用支持部と前記右眼用支持部との他方に対して回転可能な螺合部が設けられている請求項１に記載の画像表示装置。
【請求項３】
前記リードスクリューを回転させる際に前記螺合部の回転を規制するとともに、前記螺合部を回転させる際に前記螺合部の回転を規制しない回転規制部を有する請求項２に記載の画像表示装置。
【請求項４】
前記回転規制部は、前記左眼用支持部と前記右眼用支持部との前記他方に設けられ、前記螺合部に圧接する突起部を有する請求項３に記載の画像表示装置。
【請求項５】
前記螺合部は、前記突起部が挿入される凹部を有する請求項４に記載の画像表示装置。
【請求項６】
前記螺合部と前記左眼用支持部と前記右眼用支持部との他方との相対的な回転が規制される回転規制状態と、前記螺合部と前記左眼用支持部と前記右眼用支持部との他方との相対的な回転を可能にする回転可能状態とを切り換えるクラッチが設けられている請求項２に記載の画像表示装置。
【請求項７】
前記クラッチは、
前記回転規制状態において、前記螺合部の外周面および前記左眼用支持部と前記右眼用支持部との他方の間に形成される空間に嵌合され、
前記回転可能状態において、前記空間との嵌合が解除される、請求項６に記載の画像表示装置。
【請求項８】
前記螺合部の外周面は、前記リードスクリューの軸方向に対して傾斜する請求項７に記載の画像表示装置。
【請求項９】
前記クラッチは、筒状をなす筒状部を有し、
前記筒状部の内周面は、前記リードスクリューの軸方向に対して傾斜している請求項８に記載の画像表示装置。
【発明の詳細な説明】
【技術分野】
【０００１】
本発明は、画像表示装置に関する。
【背景技術】
【０００２】
観察者の頭部に装着して使用され、観察者が視認する画像を虚像として表示するヘッドマウントディスプレイ（ＨＭＤ：Head Mount Display）が実用に供されている（例えば、特許文献１参照）。
【０００３】
このようなヘッドマウントディスプレイは、左眼用の表示ユニットと右眼用の表示ユニットの距離（眼幅）を調整する調整機構を有している。この調整機構は、左眼用の表示ユニットと右眼用の表示ユニットとを連動させて対称に移動させるようになっている。
【先行技術文献】
【特許文献】
【０００４】
【特許文献１】特開２００７−８１９８４号公報
【発明の概要】
【発明が解決しようとする課題】
【０００５】
しかしながら、人間の身体は左右対称ではないため、従来のヘッドマウントディスプレイの調整機構により眼幅調整を行うと、観察者によっては眼幅が適切に合わない場合があった。
【０００６】
本発明の目的は、観測者ごとに眼幅調整を適切かつ迅速に行うことができる画像表示装置を提供することにある。
【課題を解決するための手段】
【０００７】
このような目的は、下記の本発明により達成される。
本発明の画像表示装置は、観察者の頭部に装着して使用される画像表示装置であって、
前記観察者の左眼用の虚像を形成する光学部を有する左眼用表示ユニットと、
前記観察者の右眼用の虚像を形成する光学部を有する右眼用表示ユニットと、
前記左眼用表示ユニットと前記右眼用表示ユニットとの距離を調整する眼幅調整機構と、を備え、
前記眼幅調整機構は、前記左眼用表示ユニットの位置および前記右眼用表示ユニットの位置を同時に調整可能な第１の調整機構と、
前記左眼用表示ユニットの位置と前記右眼用表示ユニットの位置とのいずれか一方のみを独立して調整可能な第２の調整機構と、を有することを特徴とする。
【０００８】
これにより、観測者ごとに、眼幅調整を適切に行うことができ、左右の眼のそれぞれに対して、正しい位置に虚像を形成することができる。
【０００９】
また、眼幅調整機構が左眼用表示ユニットの位置のみを独立して調整可能な調整機構と右眼用表示ユニットの位置のみを独立して調整可能な調整機構とで構成されている場合に比べ、迅速に眼幅調整を行うことができる。すなわち、眼幅調整において、まず、第１の調整機構により、左眼用表示ユニットおよび右眼用表示ユニットを移動させつつ、左眼用表示ユニットの位置と右眼用表示ユニットの位置との一方を調整する。この段階で他方については粗調整が完了する。次いで、第２の調整機構により、他方を調整（微調整）することにより、迅速に眼幅調整を行うことができる。
【００１０】
本発明の画像表示装置では、前記眼幅調整機構は、
第１の巻き方向にネジ山が形成された第１雄ネジ部、前記第１の巻き方向と異なる第２の巻き方向にネジ山が形成された第２雄ネジ部、が形成されたリードスクリューと、
前記左眼用表示ユニットを支持する左眼用支持部と、
前記右眼用表示ユニットを支持する右眼用支持部と、を備え、
前記左眼用支持部と前記右眼用支持部との一方には、前記第１雄ネジ部と螺合する雌ネジが形成され、
前記左眼用支持部と前記右眼用支持部との他方には、前記第２雄ネジ部と螺合する雌ネジが内周面に形成され、かつ、前記左眼用支持部と前記右眼用支持部との他方に対して回転可能な螺合部が設けられていることが好ましい。
【００１１】
これにより、リードスクリューを回転させることで、左眼用表示ユニットおよび右眼用表示ユニットを同時に互いに逆方向に移動させることができ、また、螺合部を回転させることで、左眼用表示ユニットと右眼用表示ユニットとのいずれか一方のみを移動させることができる。これによって、観測者ごとに眼幅調整を適切かつ迅速に行うことができる。
【００１２】
本発明の画像表示装置では、前記リードスクリューを回転させる際に前記螺合部の回転を規制するとともに、前記螺合部を回転させる際に前記螺合部の回転を規制しない回転規制部を有することが好ましい。
【００１３】
これにより、回転規制部により螺合部の回転が規制された状態で、リードスクリューを回転させることで、より確実に、左眼用表示ユニットおよび右眼用表示ユニットを同時に互いに逆方向に移動させることができる。
【００１４】
本発明の画像表示装置では、前記回転規制部は、前記左眼用支持部と前記右眼用支持部との前記他方に設けられ、前記螺合部に圧接する突起部を有することが好ましい。
【００１５】
これにより、螺合部に直接力を加えた時に螺合部のみを回転させることを可能としつつ、より確実に、リードスクリューを回転させる際に螺合部の回転を規制することができる。
【００１６】
本発明の画像表示装置では、前記螺合部は、前記突起部が挿入される凹部を有することが好ましい。
【００１７】
これにより、螺合部に直接力を加えた時に螺合部のみを回転させることを可能としつつ、より確実に、リードスクリューを回転させる際に螺合部の回転を規制することができる。
【００１８】
本発明の画像表示装置では、
前記螺合部と前記前記左眼用支持部と前記右眼用支持部との他方との相対的な回転が規制される回転規制状態と、前記螺合部と前記前記左眼用支持部と前記右眼用支持部との他方との相対的な回転を可能にする回転可能状態と切り換えるクラッチが設けられていることが好ましい。
【００１９】
これにより、回転規制状態としてリードスクリューを回転させることで、左眼用表示ユニットおよび右眼用表示ユニットを同時に互いに逆方向に移動させることができ、また、回転可能状態としてリードスクリューを回転させることで、左眼用表示ユニットと右眼用表示ユニットとのいずれか一方のみを移動させることができる。これによって、観測者ごとに眼幅調整を適切かつ迅速に行うことができる。
【００２０】
本発明の画像表示装置では、前記クラッチは、
前記回転規制状態において、前記螺合部の外周面および前記左眼用支持部と前記右眼用支持部との他方の間に形成される空間に嵌合され、
前記回転可能状態において、前記嵌合部は前記空間との嵌合が解除されることが好ましい。
これにより、より確実に、回転規制状態と回転可能状態とを切り換えることができる。
【００２１】
本発明の画像表示装置では、前記螺合部の外周面は、前記リードスクリューの軸方向に対して傾斜していることが好ましい。
【００２２】
これにより、容易かつ確実に、回転規制状態と回転可能状態とを切り換えることができる。
【００２３】
本発明の画像表示装置では、前記クラッチは、筒状をなす筒状部を有し、
前記筒状部の内周面は、前記リードスクリューの軸方向に対して傾斜していることが好ましい。
【００２４】
これにより、容易かつ確実に、回転規制状態と回転可能状態とを切り換えることができる。
【図面の簡単な説明】
【００２５】
【図１】本発明の第１実施形態に係る画像表示装置（ヘッドマウントディスプレイ）の概略構成を示す斜視図である。
【図２】図１に示す画像表示装置の主要部の概略構成を示す斜視図である。
【図３】図１に示す画像表示装置の右眼用画像形成ユニットの近傍の概略構成を示す斜視図である。
【図４】図１に示す画像表示装置の眼幅調整機構の近傍の概略構成を示す斜視図である。
【図５】図１に示す画像表示装置の螺合部（ローラー）の近傍の概略構成を示す断面図である。
【図６】図１に示す画像表示装置のブロック図である。
【図７】本発明の第２実施形態に係る画像表示装置（ヘッドマウントディスプレイ）の概略構成を示す斜視図である。
【図８】図７に示す画像表示装置の眼幅調整機構の近傍の概略構成を示す斜視図である。
【図９】図７に示す画像表示装置のクラッチ機構の近傍の概略構成を示す断面図である。
【図１０】図７に示す画像表示装置の回転規制状態と回転可能状態とを示す断面図である。
【発明を実施するための形態】
【００２６】
以下、本発明の画像表示装置を添付図面に示す実施形態に基づいて詳細に説明する。
＜第１実施形態＞
図１は、本発明の第１実施形態に係る画像表示装置（ヘッドマウントディスプレイ）の概略構成を示す斜視図である。図２は、図１に示す画像表示装置の主要部の概略構成を示す斜視図である。図３は、図１に示す画像表示装置の右眼用画像形成ユニットの近傍の概略構成を示す斜視図である。図４は、図１に示す画像表示装置の眼幅調整機構の近傍の概略構成を示す斜視図である。図５は、図１に示す画像表示装置の螺合部（ローラー）の近傍の概略構成を示す断面図である。図６は、図１に示す画像表示装置のブロック図である。
【００２７】
図１に示すように、本実施形態の画像表示装置１は、眼鏡のような外観を有するヘッドマウントディスプレイ（頭部装着型画像表示装置）であって、観察者の頭部に装着して使用され、観察者に虚像による画像を外界像と重畳した状態で視認させるものである。
【００２８】
図１〜図６に示すように、この画像表示装置１は、フレーム２と、フレーム２に支持された右眼用表示ユニット５ａおよび左眼用表示ユニット５ｂと、制御部３と、右眼用表示ユニット５ａと左眼用表示ユニット５ｂとの距離を調整する眼幅調整機構８とを備える。右眼用表示ユニット５ａおよび左眼用表示ユニット５ｂは、それぞれ、反射部４４を有する画像形成部４を備える。なお、右眼用表示ユニット５ａの画像形成部４の反射部４４以外の構成要素により、右眼用画像形成ユニット６ａが構成される。右眼用画像形成ユニット６ａは、右眼に表示する虚像を形成するための画像光を生成するユニットである。同様に、左眼用表示ユニット５ｂの画像形成部４の反射部４４以外の構成要素により、左眼用画像形成ユニット６ｂが構成される。左眼用画像形成ユニット６ｂは、左眼に表示する虚像を形成するための画像光を生成するユニットである。
【００２９】
なお、本実施形態では、右眼用表示ユニット５ａと左眼用表示ユニット５ｂとを区別する場合は、「右眼用表示ユニット５ａ」、「左眼用表示ユニット５ｂ」と表記し、区別しない場合は、「表示ユニット５」と表記する。同様に、本実施形態では、右眼用画像形成ユニット６ａと左眼用画像形成ユニット６ｂとを区別する場合は、「右眼用画像形成ユニット６ａ」、「左眼用画像形成ユニット６ｂ」と表記し、区別しない場合は、「画像形成ユニット６」と表記する。
【００３０】
また、右眼用表示ユニット５ａと左眼用表示ユニット５ｂとは、同様であるので、本実施形態では、その一方について説明する。
【００３１】
このような画像表示装置１では、右眼用表示ユニット５ａおよび左眼用表示ユニット５ｂにより、それぞれ、観察者が視認し得る右眼用の虚像および左眼用の虚像を形成する。なお、前記右側の眼に対する虚像の形成と、前記左側の眼に対する虚像の形成とは、同時に行ってもよく、また、いずれか一方のみを行ってもよい。
【００３２】
以下、画像表示装置１の各部を順次詳細に説明する。
（フレーム）
図１および図２に示すように、フレーム２は、眼鏡フレームのような形状をなし、右眼用表示ユニット５ａおよび左眼用表示ユニット５ｂを移動可能に支持する機能を有する。
【００３３】
また、フレーム２は、図１に示すように、右眼用表示ユニット５ａおよび左眼用表示ユニット５ｂを移動可能に支持し、ノーズパッド部２１を支持するフロント部２２と、フロント部２２に接続されて使用者の耳に当接する１対のテンプル部（つる部）２３と、各テンプル部２３のフロント部２２と反対の端部であるモダン部２４とを有している。
【００３４】
ノーズパッド部２１は、使用時に観察者の鼻に当接して、画像表示装置１を観察者の頭部に対して支持している。フロント部２２には、リム部２５やブリッジ部２６が含まれる。
【００３５】
また、フレーム２は、フロント部２２に蓋２７を有している。なお、図２は、蓋２７を取り外した状態を示している。
【００３６】
なお、フレーム２の形状は、観察者の頭部に装着することができるものであれば、図示のものに限定されない。
【００３７】
（眼幅調整機構）
図１、図２および図４に示すように、眼幅調整機構８は、右ネジであるネジ山（雄ネジ）が形成された第１雄ネジ部８１１ａおよび左ネジであるネジ山（雄ねじ）が形成された第２雄ネジ部８１１ｂが形成されたリードスクリュー８１と、左眼用表示ユニット５ｂを支持する左眼用支持部８２ｂと、右眼用表示ユニット５ａを支持する右眼用支持部８２ａとを備えている。なお、左眼用表示ユニット５ｂは、左眼用支持部８２ｂとともに、リードスクリュー８１の軸方向（長手方向）に移動し、右眼用表示ユニット５ａは、右眼用支持部８２ａとともに、リードスクリュー８１の軸方向に移動し得るようになっている。
【００３８】
リードスクリュー８１の中央部には、円筒状をなす操作部８１２が設けられている。なお、操作部８１２の形状は、円筒状に限定されないことは、言うまでもない。
【００３９】
また、右眼用支持部８２ａには、リードスクリュー８１の第１雄ネジ部８１１ａと螺合する雌ネジが内周面に形成された支持部８３と、リードスクリュー８１を回転可能に支持する支持部８４とが設けられている。
【００４０】
また、左眼用支持部８２ｂには、リードスクリュー８１の第２雄ネジ部８１１ｂと螺合する雌ネジが内周面に形成されたローラー（螺合部）８７と、リードスクリュー８１を回転可能に支持する支持部８６とが設けられている。そして、左眼用支持部８２ｂには、ローラー８７およびリードスクリュー８１を回転可能に支持する支持部８５が設けられている。
【００４１】
また、前記支持部８５の内面には、ローラー８７に圧接する１対の突起（突起部、回転規制部）８５１が互いに対向するように配置されている。また、ローラー８７の１対の側面には、前記１対の突起８５１が挿入され、ローラー８７の回転方向に沿って形成された１対の溝（凹部）８７１が形成されている。各溝８７１は、リードスクリュー８１の軸方向から見て円環状をなしている。各溝８７１に各突起８５１が挿入されることにより、それらの間の摩擦力でリードスクリュー８１を回転させる際にローラー８７の回転が規制され、これにより、リードスクリュー８１が回転すると、左眼用支持部８２ｂが移動する。また、前記摩擦力は、ローラー８７を回転させる際、そのローラー８７を回転させることが可能な大きさに設定されている。すなわち、突起８５１は、ローラー８７を回転させる際にローラー８７の回転を規制しない。
【００４２】
なお、リードスクリュー８１、支持部８３、支持部８５、ローラー８７により、左眼用表示ユニット５ｂの位置および右眼用表示ユニット５ａの位置を同時に調整可能な第１の調整機構が構成される。また、リードスクリュー８１、支持部８５、ローラー８７により、左眼用表示ユニット５ｂの位置のみ（左眼用表示ユニット５ｂの位置と前記右眼用表示ユニット５ａの位置とのいずれか一方のみ）を独立して調整可能な第２の調整機構が構成される。
【００４３】
（画像形成部（表示ユニット））
画像形成部４は、観察者が視認可能な画像として虚像を形成する機能を有する。すなわち、画像形成部４は、映像信号（画像信号）に基づいて、虚像を形成する。
【００４４】
画像形成部４の反射部４４以外の構成要素である画像形成ユニット６の取り付け位置は、特に限定されないが、本実施形態では、図３に示すように、画像形成ユニット６は、取り付け部２８により反射部４４に取り付けられている。これにより、画像形成ユニット６は、反射部４４とともに変位するので、反射部４４と画像形成ユニット６との位置関係を常に一定にすることができる。これによって、反射部４４を移動させた際に、画像形成ユニット６から出射する光信号（光）の反射部４４への入射角度が変化してしまうことを防止することができ、容易かつ確実に適正な画像を形成することができる。
【００４５】
画像形成ユニット６としては、虚像を形成する光学部を有するものであれば特に限定されず、例えば、走査型の装置、非走査型の装置等が挙げられる。
【００４６】
非走査型の装置としては、例えば、液晶等を用いたプロジェクター等の投射型表示装置等が挙げられる。
【００４７】
また、走査型の装置としては、例えば、光信号（光）を走査する光スキャナー等の光走査部と、その光走査部で走査される光信号を生成する生成部とを有する装置等が挙げられる。
このような画像形成ユニット６から出射した光信号は、反射部４４に照射される。
【００４８】
反射部４４は、使用時に観察者の眼の前方に位置するように配置されている。この反射部４４は、画像形成部４から出射した光信号を当該観察者の眼に向けて反射する機能を有する。
【００４９】
本実施形態では、反射部４４は、ハーフミラーであり、外界光を透過させる機能（可視光に対する透光性）をも有する。すなわち、反射部４４は、画像形成部４からの光を反射させるとともに、使用時において反射部４４の外側から観察者の眼に向かう外界光を透過させる機能を有する。これにより、観察者は、外界像を視認しながら、信号光により形成された虚像（画像）を視認することができる。すなわち、シースルー型のヘッドマウントディスプレイを実現することができる。
【００５０】
この反射部４４は、図示しないが、例えば、外界光を透過させる透明基板（透光部）と、透明基板に支持され、信号光を反射させる回折格子とを有する。これにより、回折格子に様々な光学特性をもたせ、光学系の部品点数を減らしたり、デザインの自由度を高めたりすることができる。例えば、回折格子としてホログラム素子を用いることにより、反射部４４で反射する信号光の出射方向を調整することができる。また、回折格子にレンズ効果をもたせることによって、反射部４４で反射する信号光の結像状態を調整することもできる。
【００５１】
なお、反射部４４は、前述した構成に限定されず、例えば、透明基板上に金属薄膜や誘電体多層膜等で構成された半透過反射膜を形成したものであってもよい。
【００５２】
本実施形態では、反射部４４は、湾曲した形状をなす。なお、反射部４４の形状は、画像形成ユニット６の配置や、反射部４４の光学特性等に応じて決められるものであり、図示のものに限定されない。
【００５３】
（制御部）
制御部３は、例えば、画像形成ユニット６等の各部の作動、すなわち、画像表示装置１全体の作動を制御する機能を有する。
【００５４】
制御部３の取り付け位置は、特に限定されないが、本実施形態では、制御部３は、フレーム２内に内蔵されている。
【００５５】
この制御部３としては、例えば、マイクロコンピューター、ＣＰＵ等を用いることができる。
【００５６】
次に、図４に基づいて、画像表示装置１の眼幅調整について説明する。
眼幅調整の際は、観察者は、画像表示装置１を装着し、まず、操作部８１２を回転操作する。これにより、リードスクリュー８１が回転し、左眼用支持部８２ｂと、右眼用支持部８２ａとが、互いに逆方向に移動する。この際、右眼用表示ユニット５ａの反射部４４の位置を調整する。
【００５７】
また、この段階で、左眼用表示ユニット５ｂの反射部４４の位置は、粗調整される。これにより、眼幅調整機構が左眼用表示ユニットの位置のみを独立して調整可能な調整機構と右眼用表示ユニットの位置のみを独立して調整可能な調整機構とで構成されている場合に比べ、迅速に眼幅調整を行うことができる。
【００５８】
次に、ローラー８７を回転させる。これにより、左眼用支持部８２ｂのみが移動する。この際、左眼用表示ユニット５ｂの反射部４４の位置を調整する。以上で、眼幅調整が完了する。
【００５９】
このようにして、観測者ごとに、眼幅調整を適切に行うことができ、左右の眼のそれぞれに対して、正しい位置に虚像を形成することができる。
【００６０】
以上説明したような画像表示装置１によれば、観測者ごとに、眼幅調整を適切に行うことができ、左右の眼のそれぞれに対して、正しい位置に虚像を形成することができる。
【００６１】
また、眼幅調整機構が左眼用表示ユニットの位置のみを独立して調整可能な調整機構と右眼用表示ユニットの位置のみを独立して調整可能な調整機構とで構成されている場合に比べ、迅速に眼幅調整を行うことができる。
【００６２】
＜第２実施形態＞
図７は、本発明の第２実施形態に係る画像表示装置（ヘッドマウントディスプレイ）の概略構成を示す斜視図である。図８は、図７に示す画像表示装置の眼幅調整機構の近傍の概略構成を示す斜視図である。図９は、図７に示す画像表示装置のクラッチ機構の近傍の概略構成を示す断面図である。図１０は、図７に示す画像表示装置の回転規制状態と回転可能状態とを示す断面図である。
【００６３】
以下、第２実施形態について、前述した実施形態との相違点を中心に説明し、同様の事項については、その説明を省略する。
【００６４】
第２実施形態の画像表示装置は、眼幅調整機構が異なる以外は、前述した第１実施形態と同様である。
【００６５】
図７〜図９に示すように、本実施形態の画像表示装置１の眼幅調整機構８では、右眼用支持部８２ａには、リードスクリュー８１の第１雄ネジ部８１１ａと螺合する雌ネジが内周面に形成されたナット（螺合部）９２と、リードスクリュー８１を回転可能に支持する支持部８４とが設けられている。
【００６６】
そして、右眼用支持部８２ａには、さらに、ナット９２の位置には、支持部８８と、その支持部８８にリードスクリュー８１の軸方向に移動可能に支持されたクラッチ９１とが設けられている。
【００６７】
クラッチ９１は、筒状をなす筒状部（本体部）９１１と、観察者が把持し得る操作部９１２とを有している。そして、クラッチ９１は、前記軸方向に移動することで、ナット９２と右眼用支持部８２ａとの相対的な回転が規制される回転規制状態と、ナット９２と右眼用支持部８２ａとの相対的な回転の規制が解除される解除状態（相対的な回転が可能となる回転可能状態）とを切り換えるようになっている。クラッチ９１は、回転規制状態では、その筒状部９１１がナット９２の外周面と右眼用支持部８２ａの支持部８８との間の空間に嵌合され、回転可能状態では、前記空間との嵌合が解除されるようになっている。
【００６８】
また、ナット９２の外周面は、リードスクリュー８１の軸方向に対して傾斜しており、筒状部９１１の内周面は、リードスクリューの軸方向に対して、前記ナット９２の外周面と同じ方向に傾斜している。これにより、容易かつ確実に、回転規制状態と回転可能状態とに切り換えることができ、確実に、回転規制状態と回転許可状態とを採ることができる。
【００６９】
また、左眼用支持部８２ｂには、リードスクリュー８１の第２雄ネジ部８１１ｂと螺合する雌ネジが内周面に形成された支持部８９と、リードスクリュー８１を回転可能に支持する支持部８６とが設けられている。
【００７０】
なお、リードスクリュー８１、支持部８８、支持部８９、クラッチ９１、ナット９２により、左眼用表示ユニット５ｂの位置および右眼用表示ユニット５ａの位置を同時に調整可能な第１の調整機構が構成される。また、リードスクリュー８１、支持部８９、クラッチ９１、ナット９２により、左眼用表示ユニット５ｂの位置のみ（左眼用表示ユニット５ｂの位置と前記右眼用表示ユニット５ａの位置とのいずれか一方のみ）を独立して調整可能な第２の調整機構が構成される。
【００７１】
次に、図１０に基づいて、画像表示装置１の眼幅調整について説明する。
眼幅調整の際は、観察者は、画像表示装置１を装着し、まず、図１０（ａ）に示すように、操作部９１２を把持してクラッチ９１を図中左側に移動し、クラッチ９１の筒状部９１１をナット９２の外周面と支持部８８との間の空間に嵌合させ、回転規制状態とする。そして、操作部８１２を回転操作する。これにより、リードスクリュー８１が回転し、左眼用支持部８２ｂと、右眼用支持部８２ａとが、互いに逆方向に移動する。この際、右眼用表示ユニット５ａの反射部４４の位置を調整する。
【００７２】
また、この段階で、左眼用表示ユニット５ｂの反射部４４の位置は、粗調整される。これにより、眼幅調整機構が左眼用表示ユニットの位置のみを独立して調整可能な調整機構と右眼用表示ユニットの位置のみを独立して調整可能な調整機構とで構成されている場合に比べ、迅速に眼幅調整を行うことができる。
【００７３】
次に、図１０（ｂ）に示すように、操作部９１２を把持してクラッチ９１を図中右側に移動し、前記嵌合を解除し、回転可能状態とし、操作部８１２を回転操作する。これにより、左眼用支持部８２ｂのみが移動する。この際、左眼用表示ユニット５ｂの反射部４４の位置を調整する。
【００７４】
このようにして、観測者ごとに、眼幅調整を適切に行うことができ、左右の眼のそれぞれに対して、正しい位置に虚像を形成することができる。
【００７５】
以上説明したような第２実施形態によっても、前記第１実施形態と同様の効果が得られる。
【００７６】
以上、本発明の画像表示装置について、図示の実施形態に基づいて説明したが、本発明はこれに限定されるものではない。例えば、本発明の画像表示装置では、各部の構成は、同様の機能を有する任意の構成のものに置換することができ、また、他の任意の構成を付加することもできる。
【００７７】
また、本発明は、前記各実施形態のうちの、任意の２以上の構成（特徴）を組み合わせたものであってもよい。
【００７８】
また、前述した実施形態では、眼鏡型の頭部装着型画像表示装置に本発明を適用した場合を例に説明したが、本発明は、観察者が視認する画像として虚像を形成するものであれば、これに限定されず、例えば、ヘルメット型またはヘッドセット型の頭部装着型画像表示装置や、観察者の首や肩等の身体で支持される形態の画像表示装置にも適用可能である。
【００７９】
また、前述した実施形態では、画像表示装置全体が観察者の頭部に装着される場合を例に説明したが、本発明では、画像表示装置は、観察者の頭部に装着される部分と、観察者の頭部以外の部分に装着または携帯される部分とを有していてもよい。
【００８０】
また、前述した実施形態では、第２の調整機構は、左眼用表示ユニットの位置のみを独立して調整可能に構成されている場合を例に説明したが、本発明では、第２の調整機構は、右眼用表示ユニットの位置のみを独立して調整可能に構成されていてもよい。
【符号の説明】
【００８１】
１‥‥画像表示装置  ２‥‥フレーム  ３‥‥制御部  ４‥‥画像形成部  ５‥‥表示ユニット  ５ａ‥‥右眼用表示ユニット  ５ｂ‥‥左眼用表示ユニット  ６‥‥画像形成ユニット  ６ａ‥‥右眼用画像形成ユニット  ６ｂ‥‥左眼用画像形成ユニット  ８‥‥眼幅調整機構  ２１‥‥ノーズパッド部  ２２‥‥フロント部  ２３‥‥テンプル部  ２４‥‥モダン部  ２５‥‥リム部  ２６‥‥ブリッジ部  ２７‥‥蓋  ２８‥‥取り付け部  ４４‥‥反射部  ８１‥‥リードスクリュー  ８１１ａ、８１１ｂ‥‥雄ネジ部  ８１２‥‥操作部  ８２ａ‥‥右眼用支持部  ８２ｂ‥‥左眼用支持部  ８３〜８６、８８、８９‥‥支持部  ８５１‥‥突起  ８７‥‥ローラー  ８７１‥‥溝  ９１‥‥クラッチ  ９１１筒状部  ９１２‥‥操作部  ９２‥‥ナット
【図１】
2016014730.tif 000003
【図２】
2016014730.tif 000004
【図３】
2016014730.tif 000005
【図４】
2016014730.tif 000006
【図５】
2016014730.tif 000007
【図６】
2016014730.tif 000008
【図７】
2016014730.tif 000009
【図８】
2016014730.tif 000010
【図９】
2016014730.tif 000011
【図１０】
2016014730.tif 000012